(57)【要約】【課題】  本発明は金属や紙製のステープル等の部材を用いないで紙を綴じる文具に関するものである。【解決手段】    上下に摺動するパンチとダイによって綴じる紙の角を重ねて折って出来た三角形の中に折った辺にほぼ平行にダイの中に折れる辺とその両端から三角形の頂点方向に各々から角度を持った形状で切り抜き、パンチとダイの間に設けたスリットから重ねた紙を引き抜くことにより切り抜かれた部分が立ち上がることを特徴とする針無し紙綴じ器である。【選択図】図４
2020055277.tif 000002
【特許請求の範囲】
【請求項１】
上下に摺動するパンチとダイによって綴じる紙の角を重ねて折って出来た三角形の中に折った辺にほぼ平行にダイの中に折れる辺とその両端から三角形の頂点方向に各々から角度を持った形状で切り抜き、パンチとダイの間に設けたスリットから重ねた紙を引き抜くことにより切り抜かれた部分が立ち上がることを特徴とする針無し紙綴じ器。
【請求項２】
ホチキスと外観で同じようなホルダー内部に針無し紙綴じ器の本体を収納する空間を有する専用ホルダーを備えていることを特徴とする請求項１に記載の針無し紙綴じ器。
【発明の詳細な説明】
【技術分野】
【０００１】  本発明は金属や紙製のステープル等の部材を用いないで紙を綴じる文具に関するものである。
【背景技術】
【０００２】  従来、金属や紙製のステープル等の部材を用いないで紙を綴じる文具はあった（特許文献１）（特許文献２）（特許文献３）。
【先行技術文献】
【特許文献】
【０００３】
【特許文献１】特開平８−３００８６５号公報
【特許文献２】特開２０１３−１７３３４１号公報
【特許文献３】実開平７−１８８５７号公報
【発明の概要】
【発明が解決しようとする課題】
【０００４】  従来より次の問題点があった。
重ねた紙の一部を舌状に切り抜き、その端を別の切り抜きに差し込んだり複数の矢状の切れ込みを入れたりする等の機能を満たすために切り抜く形状に制約があった。
本発明はこの問題を解決しようとするものである。
【課題を解決するための手段】
【０００５】上下に摺動するパンチとダイによって綴じる紙の角を重ねて折って出来た三角形の中に折った辺にほぼ平行にダイの中に折れる辺とその両端から三角形の頂点方向に各々から角度を持った形状で切り抜き、パンチとダイの間に設けたスリットから重ねた紙を引き抜くことにより切り抜かれた部分が立ち上がることを特徴とする針無し紙綴じ器である。
【発明の効果】
【０００６】  綴じた面より立ち上がる形を折れ曲がる辺の両端部から角度を付けたものであれば、ハートや星、猫、カボチャ等を表した楽しくかわいい造形を持った針無し紙綴じ器ができる。
【図面の簡単な説明】
【０００７】
【図１】本発明の斜視図である。
【図２】本発明の使用において綴じる紙の角を重ねて折り曲げた三角形部分の斜視図である。
【図３】本発明の使用において綴じる紙をスリットに挿入したときの状態を示す断面図である。
【図４】本発明の使用において綴じる紙が切り抜き、折られたときの状態を示す断面図である。
【図５】本発明の使用における綴じる紙が切り抜き、折られた図４の状態における紙の斜視図である。
【図６】本発明の使用における綴じる紙が切り抜き、折られた後でスリットから引き抜くときの状態を示す断面図である。
【図７】本発明の使用における綴じる紙の引き抜かれた状態の斜視図である。
【図８】本発明の使用における綴じる紙の角を重ねて折った三角形部分の切り抜き、折る形状の平面図である。
【図９】本発明の使用における綴じる紙を星形に切り抜き、折られた例の斜視図である。
【図１０】本発明の使用における綴じる紙を猫形に切り抜き、折られた例の斜視図である。
【図１１】本発明の使用における綴じる紙の角を重ねたまま裏側に折り曲げて綴じたときのハート形例の斜視図である
【図１２】本発明の使用における綴じる紙の角を重ねて表側に折り曲げて、一番下の紙の切り抜かれる部分の裏側にあらかじめ着色したときのハート形例の斜視図である。
【図１３】本発明の一部であるホルダーの斜視図である。
【発明を実施するための形態】
【０００８】  以下本発明の実施の形態について説明する。
ダイ部（２）とストリッパー部（３）の間に綴じる紙（１２）を挿入するスリット（６）と上下に摺動するパンチ（７）をガイドするパンチガイド部（５）を有するベース（１）と、挿入した紙を切り抜き、折り曲げるパンチ（７）とそれを押すボタン（８）と押し戻すバネ（９）をセットしパンチ（７）が適切な位置で止まるような下カバー（１１）と上カバー（１０）をベース（１）に固着させてある。
本発明は以上の構成である。
本発明を使用するときは、綴じる紙（１２）の角を重ねて折った三角形部分（図２）をスリット（６）にストッパー（４）に当たるまで挿入する（図３）。パンチ押しボタン（８）を押すとダイ部（２）に挿入される斜めにカットされたパンチ（７）によって斜めに切り抜かれ、上方斜めに折れ曲がる（図４）（図５）。切り抜かれた部分は重ねた紙を引き抜くことによりスリット（６）を通過する時に反対側に曲げられ（図６）、さらに上下を抑えられるため大きく曲げられ、紙面から立ち上がった状態になる（図７）。
切り抜き形状は綴じる紙（１２）の角の折られた三角形部分（図２）の中に収まり、折れ曲げる線から角度を持っているような形状である（図８）。
（図７）、（図９）、（図１０）はその形状によって切り抜き、折られ綴じた例である。綴じられる仕組みは綴じる紙（１２）の角を重ねて折った三角形部分（図２）の中に紙が切り起こされるため（図７）、左右前後に動きが規制されお互いにずれることがない。また切り起こされた紙の形状は平面から角度をもって立ち上がるため（図７）、重ねられた紙が各々上下に動きが規制されることにより綴じられる。
応用例として
▲１▼綴じる紙を重ねて折るのは表側でも裏側に折り曲げても綴じることができる。（図１１）
▲２▼綴じる紙を重ねて表側に折るとき一番下の紙の裏側の切り抜かれる部分に、裏側に折る場合は一番上の紙の切り抜かれる部分に印刷や色鉛筆、マーカー、シール等で着色すれば切り抜かれた着色した形の部分が立ち上がる。（図１２）
▲３▼針無し紙綴じ器の他に専用のホルダーを設ける。
ホルダーのレバー（１５）を下げハンドル（１３）の裏側から針無し紙綴じ器を針無し紙綴じ器ストッパー（１４）に当たるまで挿入しレバー（１５）を戻す。
紙を綴じるとき、綴じる紙の角を重ねて折った三角形部分（図２）をハンドル（１３）の上面に出たスリット（６）にストッパー（４）に当たるまで挿入する。
ハンドル（１３）とレバー（１５）を手で握るとレバー（１５）がパンチ押しボタン（８）を押し、紙は切り抜き、折り曲げられる（図４）。
重ねた紙をスリット（６）から引き抜き綴じ終わる。
握る位置はレバー支点（１６）からレバー（１５）がパンチ押しボタン（８）を押す位置より後方のため、テコの力で直接パンチ押しボタン（８）を押すより弱い力で押すことができる。
【符号の説明】
【０００９】１  ベース
２  ダイ部
３  ストリッパー部
４  ストッパー部
５  パンチガイド部
６  スリット
７  パンチ
８  パンチ押しボタン
９  バネ
１０  上カバー
１１  下カバー
１２  綴じる紙
１３  ハンドル
１４  針無し紙綴じ器ストッパー
１５    レバー
１６  レバー支点
【図１】
2020055277.tif 000003
【図２】
2020055277.tif 000004
【図３】
2020055277.tif 000005
【図４】
2020055277.tif 000006
【図５】
2020055277.tif 000007
【図６】
2020055277.tif 000008
【図７】
2020055277.tif 000009
【図８】
2020055277.tif 000010
【図９】
2020055277.tif 000011
【図１０】
2020055277.tif 000012
【図１１】
2020055277.tif 000013
【図１２】
2020055277.tif 000014
【図１３】
2020055277.tif 000015